(57)【要約】【課題】撮像装置とプリントサービス装置とを連携させた新規なプリントサービスを実現するための技術を提供する。【解決手段】撮像装置は、撮影画像が記録される領域とプリントサービスに関わる付加的データが記録される領域とが設けられたメモリを有する。プリントサービス装置は、撮像装置本体または撮像装置のメモリが接続される接続部と、接続された撮像装置のメモリから撮影画像を読み込んでプリント処理またはプリント注文処理を実行するプリントサービス処理部と、接続された撮像装置のメモリに対し、付加的データを設定する付加的データ設定部と、を有する。【選択図】図２
2006186966.tif 000002
【特許請求の範囲】
【請求項１】
撮像装置で撮影された画像のプリントサービスに用いられるプリントサービス装置であって、
撮像装置は、撮影画像が記録される領域とプリントサービスに関わる付加的データが記録される領域とが設けられたメモリを有しており、
プリントサービス装置は、
撮像装置本体または撮像装置のメモリが接続される接続部と、
接続された撮像装置のメモリから撮影画像を読み込んでプリント処理またはプリント注文処理を実行するプリントサービス処理部と、
接続された撮像装置のメモリに対し、付加的データを設定する付加的データ設定部と、を有する
ことを特徴とするプリントサービス装置。
【請求項２】
前記撮像装置は、
前記メモリを保持したまま、前記メモリの接続端子部分を装置本体の外部に露出させるメモリ取出機構を備える
ことを特徴とする請求項１に記載のプリントサービス装置。
【発明の詳細な説明】
【技術分野】
【０００１】
本発明は、画像のプリントサービスに用いられるプリントサービス装置に関する。
【背景技術】
【０００２】
デジタルカメラなどの撮像装置の普及に伴い、デジタル画像をプリントするサービスが注目を集めている。一般的なサービス形態では、画像が記録されたメモリカードをカメラから取り外してＤＰＥショップに預けるか、メモリ内蔵タイプのカメラの場合はカメラ本体ごとＤＰＥショップに渡して、プリントを依頼する。また、コンビニ等に設置されたＫＩＯＳＫ端末（プリントサービス装置）を利用してプリントあるいはプリント注文を行うセルフサービスの形態もある。最近では、インターネットを介してプリント注文を行うサービスも登場している。
【発明の開示】
【発明が解決しようとする課題】
【０００３】
本発明者は、この種のプリントサービスにおいて顧客の拡大および固定化を図るための方策として、無償もしくは低料金でデジタルカメラを貸与、頒布もしくは販売し、そのカメラで撮影された画像のプリントやプリント注文をプリントサービス装置で受注するといったビジネスモデルを検討している。
【０００４】
しかしながら、その実現には以下のような課題がある。
【０００５】
従来技術では、カメラとプリントサービス装置とを関連付ける手段がないため、たとえばＡ社が顧客にカメラを貸与したとしても、その顧客が他社のプリントサービスを利用する可能性があり、ビジネスモデル自体が成立しないおそれがある。
【０００６】
また、カメラに関していえば、撮影可能枚数あるいは記録可能容量がプログラム的に制限されたカメラであることが好ましく、さらには、使い捨てではなく、メモリ内容（画像や設定など）をリフレッシュすることにより繰り返し使えるリサイクル型のカメラが好ましい。とはいえ、メモリのリフレッシュのためにカメラを返却したり一時的にショップに預けたりしなければならないとなれば、その手間が顧客への負担となるし、サービス提供者にとっても回収コストの問題が生じる。よって、顧客自身が簡単に何度でもメモリをリフレッシュでき、ある程度の期間、マイカメラとして使い続けられるような仕組みが望まれる。しかし、従来は、かかる仕組みを実現するための好適なシステムが存在しなかった。
【課題を解決するための手段】
【０００７】
本発明では、上記課題を解決するために、以下の構成を採用する。
【０００８】
本発明に係るプリントサービス装置は、撮像装置で撮影された画像のプリントサービスに用いられるプリントサービス装置であって、撮像装置は、撮影画像が記録される領域とプリントサービスに関わる付加的データが記録される領域とが設けられたメモリを有しており、プリントサービス装置は、撮像装置本体または撮像装置のメモリが接続される接続部と、接続された撮像装置のメモリから撮影画像を読み込んでプリント処理またはプリント注文処理を実行するプリントサービス処理部と、接続された撮像装置のメモリに対し、付加的データを設定する付加的データ設定部と、を有する。
【０００９】
ここで、付加的データには、プリントサービスに関連する種々の情報を含めることが可
能である。たとえば、撮影可能枚数あるいは記録可能容量の上限を規定する情報、撮像装置の使用期限を規定する情報、撮影画像の削除の可否を規定する情報のような「撮像装置の作動に関わる情報」を含めてもよい。また、プリント処理またはプリント注文処理の利用に応じて付与されるポイントや、利用履歴、画像の補正のログなどのような「サービスの利用に関わる情報」を含めてもよい。また、顧客ＩＤその他の個人情報のような「撮像装置の利用者に関わる情報」を含めてもよい。また、撮像装置ＩＤやサービス提供者ＩＤのような「サービス提供者に関わる情報」を含めてもよい。また、「広告情報」を含めてもよい。
【００１０】
ここで、前記撮像装置は、前記メモリを保持したまま、前記メモリの接続端子部分を装置本体の外部に露出させるメモリ取出機構を備えることが好ましい。なお、メモリやその接続端子の仕様は、汎用的、標準的なメモリの規格に準拠していることが好ましい。
【発明の効果】
【００１１】
本発明によれば、プリントサービス装置により撮像装置のメモリ内容を書き換えることができる。そして、たとえば、付加的データとして「サービスの利用に関わる情報」を記録するようにすれば、撮像装置とプリントサービスの間に関連付けを持たせたり、顧客に付加価値を提供することができるようになり、本プリントサービスの利用機会の拡大、顧客の固定化につながる。また、付加的データとして「撮像装置の作動に関わる情報」の書き換えを行うようにすれば、撮像装置を回収せずとも、顧客自身でいわゆるメモリリフレッシュが行えるようになる。
【発明を実施するための最良の形態】
【００１２】
以下に図面を参照して、この発明の好適な実施の形態を例示的に詳しく説明する。
【００１３】
（ＫＩＯＳＫ端末の構成）
本実施形態では、プリントサービス装置としてＫＩＯＳＫ端末を例に挙げる。図１は、ＫＩＯＳＫ端末の外観を示しており、図２は、ＫＩＯＳＫ端末の機能構成を示している。
【００１４】
ＫＩＯＳＫ端末は、コンビニ、ＤＰＥ店、小売店、ホテル、駅、サービスエリア、ゲームセンター、公共施設などに設置される多機能情報端末である。一般に、ＫＩＯＳＫ端末は、インターネット接続可能なコンピュータ、メモリリーダライタ、プリンタ等を内蔵しており、目的に応じたアプリケーションをインストールすることで、種々の機能を切り替えて実行できるようになっている。本実施形態では、プリント処理（内蔵のプリンタにより画像をプリントアウトする処理）およびプリント注文処理（画像の印画紙プリントオーダーを受け付ける処理）を実行するためのアプリケーションがインストールされたＫＩＯＳＫ端末を想定している。
【００１５】
図１に示すように、ＫＩＯＳＫ端末１０１の前面には、タッチパネルディスプレイ１１０、カメラ／メモリ接続部１１１、金銭挿入口１１２、クレジットカードリーダ１１３、プリント排出口１１４が設けられている。また、ＫＩＯＳＫ端末１０１は、その機能として、データ読込部１２０、データ書込部１２１、表示部１２２、入力部１２３、入金部１２４、プリント処理部１２５、プリント注文処理部１２６、付加的データ処理部１２７、通信部１２８、プリンタ１２９を備える。
【００１６】
タッチパネルディスプレイ１１０は、表示部１２２と入力部１２３の機能を兼ねたものである。表示部１２２は、ＫＩＯＳＫ端末１０１の操作画面やガイダンスなどを表示する機能であり、入力部１２３は、ユーザーからの入力受け付けを行う機能である。図示しないが、スピーカで音声ガイダンスを出力してもよい。
【００１７】
カメラ／メモリ接続部１１１は、デジタルカメラ（撮像装置）１０３やそのメモリ（メモリカード）１３０が接続される接続部である。カメラ本体の接続にはＵＳＢなどのケーブルを用いてもよいし、赤外線やＢｌｕｅｔｏｏｔｈなどの無線通信を利用してもよい。デジタルカメラ１０３からメモリ１３０を取り出せる場合には、メモリ１３０をカメラ／メモリ接続部１１１のメモリ挿入口に差し込むことで接続可能である。
【００１８】
データ読込部１２０は、カメラ／メモリ接続部１１１に接続されたデジタルカメラ１０３のメモリ（内蔵メモリもしくはメモリ１３０）から、データを読み込む機能である。また、データ書込部１２１は、カメラ／メモリ接続部１１１に接続されたデジタルカメラ１０３のメモリに対し、データを書き込む機能である。後述するが、本実施形態のデジタルカメラ１０３のメモリには、撮影画像が記録される領域と、プリントサービスに関わる付加的データが記録される領域とが設けられている。データ読込部１２０やデータ書込部１２１は、撮影画像領域、付加的データ領域のいずれにもアクセス可能である。
【００１９】
金銭挿入口１１２とクレジットカードリーダ１１３は、ユーザーからの入金を受け付ける部分である。投入された金銭の処理やクレジットカードによる決済処理は、入金部１２４によって実行される。
【００２０】
プリンタ１２９は、レシートや引換票、あるいは、画像のプリント出力を行う装置である。プリンタ１２９で印刷された出力物は、プリント排出口１１４に排出される。
【００２１】
プリント処理部１２５は、データ読込部１２０で読み込まれた撮影画像をプリンタ１２９により印刷する処理（プリント処理）を実行する機能である。また、プリント注文処理部１２６は、データ読込部１２０で読み込まれた撮影画像の印画紙プリントオーダーを受け付ける処理（プリント注文処理）を実行する機能である。さらに、付加的データ処理部１２７は、データ読込部１２０で読み込まれたデジタルカメラ１０３の付加的データの更新や、新たな付加的データの生成を行う機能である。更新・生成された付加的データはデータ書込部１２１によりデジタルカメラ１０３のメモリに書き込まれる。これらプリント処理部１２５、プリント注文処理部１２６、付加的データ処理部１２７の各機能は、アプリケーションプログラムとしてＫＩＯＳＫ端末１０１に実装されている。これらの機能の具体的な処理については後述する。
【００２２】
通信部１２８は、インターネット１４０との通信処理を行う機能である。ＫＩＯＳＫ端末１０１は、インターネット１４０を介して、プリントサービス提供者の運営サーバ１４１、プリント工場に設置されたプリントサーバ１４２、ＫＩＯＳＫ端末１０１の設置者の設置者サーバ１４３などと通信可能に設けられている。
【００２３】
（デジタルカメラの構成）
本実施形態では、無償もしくは低料金でデジタルカメラ１０３を貸与、頒布もしくは販売し、そのカメラで撮影された画像のプリントやプリント注文をＫＩＯＳＫ端末１０１（プリントサービス装置）で受注する、といったプリントサービスを想定している。
【００２４】
本サービスで用いるデジタルカメラ１０３としては、図３（ａ）に示すようなメモリ内蔵タイプのカメラでもよいし、図３（ｂ）に示すようなメモリ着脱タイプのカメラでもよい。メモリ内蔵タイプの場合は、構成が簡易となり低コストを実現できるという利点、および、カメラ本体とメモリの一体性が確保されるため付加的データの改ざん等を防止できるという利点がある。メモリ着脱タイプの場合は、撮影画像が記録されたメモリ１３０を取り外し、ＫＩＯＳＫ端末１０１やパソコンなどの外部機器に簡単に接続できるため、利便性および汎用性の点で優れている。
【００２５】
また、本サービスに好適なデジタルカメラ１０３としては、図３（ｃ）に示す構成のものがある。この構成では、メモリ１３０が、カメラ本体の内部に格納される位置（装着状態）と、その接続端子部分がカメラ本体の外部に露出する位置（取出状態）との間を移動できるように設けられている。取出状態においてもメモリ１３０はカメラ本体に保持されたままであり、メモリ半着脱タイプとよぶことができる。この構成によれば、カメラ本体との一体性を保ったまま、メモリ１３０をＫＩＯＳＫ端末１０１に挿入できる。すなわち、メモリ内蔵タイプの利点とメモリ着脱タイプの利点の両方を兼ね備えているといえる。
【００２６】
図４は、デジタルカメラ１０３の機能構成を示すブロック図である。デジタルカメラ１０３は、概略、メモリ１３０、入力部１３１、撮像部１３２、フラッシュ１３３、表示部１３４、データ入出力部１３５、制御部１３６を備える。メモリ１３０は、上述のように、カメラ内部のプリント基板に実装されている場合と、メモリカードのように着脱自在の場合と、途中まで引き出せる半着脱式の場合のいずれの構成でもよい。
【００２７】
入力部１３１は、シャッター、ズームボタン、設定ボタンなどから構成される機能であって、ユーザーからの入力操作を受け付けるものである。撮像部１３２は、レンズおよび撮像素子から構成される。表示部１３４はＬＣＤなどの平面型ディスプレイからなり、撮影画像や各種設定などを表示可能である。データ入出力部１３５は、撮影画像や各種設定などの電子データをメモリ１３０に書き込んだり、電子データをメモリ１３０から読み出したりする回路である。制御部１３６は、マイコン、ＲＯＭ、フレームメモリなどから構成される回路である。マイコンがＲＯＭに格納されている制御プログラムを読み込んで実行することにより、各ハードウェアの制御、撮影画像に対する画像処理、カメラの撮影モードやパラメータなどの各種設定パラメータの変更、データ入出力などの種々の処理を統括的に実行する。
【００２８】
メモリ１３０には、図４に示すように、少なくとも付加的データ領域１３７と撮影画像領域１３８とが設けられている。付加的データとは、本プリントサービスに関連する情報の群である。付加的データ領域１３７には、サービス内容にあわせて種々の情報を格納することができる。付加的データとしては、たとえば、撮影可能枚数あるいは記録可能容量の上限を規定する情報、カメラの使用期限を規定する情報、撮影画像の削除の可否を規定する情報のような「カメラの作動に関わる情報」、プリント処理またはプリント注文処理の利用に応じて付与されるポイントや、利用履歴、画像の補正のログなどのような「サービスの利用に関わる情報」、顧客ＩＤその他の個人情報のような「カメラのユーザーに関わる情報」、カメラＩＤやサービス提供者ＩＤのような「サービス提供者に関わる情報」、広告提供者から提供される「広告情報」などを含めることができる。本実施形態では、図４に示すように、カメラＩＤ、サービス提供者ＩＤ、カメラの製造年月日、撮影可能枚数、ポイント数、画像補正ログ、顧客ＩＤ、取引最新日などの情報が、付加的データ領域１３７に格納されている。これらの付加的データは、デジタルカメラ１０３の貸与、頒布もしくは販売時にサービス提供者によって初期設定される情報と、ユーザー自身がＫＩＯＳＫ端末１０１を利用して設定したり更新したりする情報を含む。
【００２９】
（デジタルカメラの動作）
撮影モード、フラッシュのＯＮ／ＯＦＦ、記録画像の解像度その他の設定を変更する場合、ユーザーは入力部１３１を利用して入力操作を行う。入力された設定情報は制御部１３６内部のＲＯＭに記録されるか、データ入出力部１３５を介してメモリ１３０に記録される。
【００３０】
撮影を行う場合、まず、制御部１３６はメモリ１３０の付加的データ領域１３７を参照して、撮影可能枚数が１以上か否かを調べる。撮影可能枚数がゼロのとき、制御部１３６は撮影不可となるよう制御するとともに、表示部１３４に「撮影枚数が上限に達しました
。画像を削除するか、ＫＩＯＳＫ端末にて新たにチャージして下さい。」というようなメッセージを表示する。撮影可能な場合には、撮像部１３２で撮影された画像は制御部１３６内部のフレームメモリに格納され、表示部１３４に表示される。その表示映像を見ながらユーザーが所望のタイミングでシャッターを押すと、制御部１３６が、必要に応じてフラッシュ１３３を発光させ、撮像部１３２から撮影画像を取り込み、その撮影画像に対して所定の画像処理を施した後、データ入出力部１３５を介して撮影画像をメモリ１３０に記録する。画像を１枚撮影するごとに、制御部１３６は付加的データの撮影可能枚数を１ずつ減じていく。
【００３１】
撮影画像の閲覧や整理を行う際は、制御部１３６がデータ入出力部１３５を介してメモリ１３０から撮影画像を読み込み、それらを表示部１３４に表示する。ユーザーは入力部１３１を操作して、表示の切り替えや画像の削除などを行うことができる。ただし、付加的データに、撮影画像の削除不可の情報が設定されている場合には、ユーザーによる削除操作が禁止される。
【００３２】
このように、本実施形態のデジタルカメラ１０３は、作動時に付加的データを参照することにより、撮影可能枚数の制限や撮影画像の削除の可否をプログラム的に制御できる。他にも、付加的データにカメラの使用期限を設定しておけば、デジタルカメラ１０３で撮影を行える期間に制限を設けることもできる。すなわち、付加的データ（カメラの作動に関わる情報）をメモリ１３０に設定しておくだけで、撮影、記録、画質などのデジタルカメラ１０３としての基本性能を損なうことなく、リサイクル型カメラとしての機能や役割を持たせることができるのである。
【００３３】
（ＫＩＯＳＫ端末の動作：プリント処理）
次に、本実施形態のプリントサービスの処理について説明する。ここでは、プリントサービスの名称を「ＢＢデジカメサービス」と仮定する。
【００３４】
ＫＩＯＳＫ端末１０１の初期メニュー画面から「ＢＢデジカメサービス」を選択すると、本サービスに関するサービスメニュー画面が表示される。サービスメニュー画面では、「プリント出力」「印画紙プリント注文」「デジカメチャージ」の中から所望の処理を選択することができる。いずれかの処理を選択すると、「デジタルカメラまたはメモリを接続して下さい。」というガイダンスが出力される。ユーザーがデジタルカメラ１０３またはそのメモリ１３０をカメラ／メモリ接続部１１１に接続すると、以下の処理が実行される。
【００３５】
図５は、「プリント出力」が選択された場合に実行されるプリント処理の流れを示している。
【００３６】
まず、データ読込部１２０がメモリから付加的データを読み込む（ステップＳ１００）。付加的データの読み込みに成功した場合には、付加的データ処理部１２７が、付加的データの「サービス提供者ＩＤ」がＢＢデジカメサービスの提供者ＩＤと一致するか否かチェックする（ステップＳ１０１）。付加的データの読み込みに失敗した場合あるいは提供者ＩＤが不一致の場合は、「このデジタルカメラ／メモリはＢＢデジカメサービスをご利用できません。」というメッセージを出力してプリント処理を中断する。
【００３７】
次に、データ読込部１２０がメモリから撮影画像を読み込む（ステップＳ１０２）。プリント処理部１２５は、読み込まれた画像のサムネイルを表示部１２２に一覧表示する（ステップＳ１０３）。ユーザーはサムネイル表示を見ながら、プリント対象とする画像を選択することができる。画像選択が完了すると、プリント処理部１２５は、プリント設定画面を表示する（ステップＳ１０４）。ユーザーはこの画面上で、プリント枚数、プリン
トサイズ、用紙、レイアウト、色調などのプリント設定を入力できる。また、画像に合成するフレーム、文字、イラストなどを入力できるようにしてもよい。さらに、通常の用紙だけでなく、ポストカード印刷やシールプリント印刷などにも対応していることが好ましい。
【００３８】
プリント設定が完了すると、プリント処理部１２５はプリント代金を計算し表示部１２２に表示する。プリント代金の支払い方法は、現金とクレジットカードから選択可能である。また、付加的データの「ポイント」をプリント代金の支払いに充てることもできる。入金処理は入金部１２４が実行する（ステップＳ１０５）。
【００３９】
入金が完了すると、付加的データ処理部１２７がプリント代金や支払い方法に応じた付与ポイントを計算し、現在のポイント数に加算する（ステップＳ１０６）。また、プリント代金の支払いにポイントが利用された場合には、付加的データ処理部１２７は利用ポイントを現在のポイント数から減算する。そして、付加的データ処理部１２７は、付加的データの中の「ポイント数」と「取引最新日」を更新し、データ書込部１２１を介して更新後の付加的データをデジタルカメラ１０３のメモリに書き込む（ステップＳ１０７）。
【００４０】
次に、プリント処理部１２５がプリント対象の画像に対して、先に入力されたプリント設定に応じた画像処理を施した後、その画像をカラー印字する（ステップＳ１０８）。プリント出力はＫＩＯＳＫ端末１０１のプリント排出口１１４から排出される。
【００４１】
その後、プリント処理部１２５は、今回のプリント処理の内容と付加的データとを利用ログとして運営サーバ１４１や設置者サーバ１４３に送信する（ステップＳ１０９）。この利用ログは、ＫＩＯＳＫ端末１０１の保守・管理に利用される他、「誰が、いつ、どこで、どのようなサービスを利用したか」といったマーケティング情報としても利用される。
【００４２】
（ＫＩＯＳＫ端末の動作：プリント注文処理）
図６は、サービスメニュー画面で「印画紙プリント注文」が選択された場合に実行されるプリント注文処理の流れを示している。
【００４３】
付加的データの読み込み（ステップＳ２００）からサムネイルの一覧表示（ステップＳ２０３）までの処理は、図５のステップＳ１００〜Ｓ１０３の処理とほぼ同様のため、説明を省略する。
【００４４】
画像選択が完了すると、プリント注文処理部１２６は、プリント注文画面を表示する（ステップＳ２０４）。ユーザーはこの画面上で、プリント枚数、プリントサイズ、用紙、レイアウト、色調、写真の受け取り方法などの注文内容を入力できる。また、明るさ補正、色味（かぶり）補正、シャープネス補正などの高度な画像補正を設定できるようにしてもよい。さらに、付加的データの「画像補正ログ」を参照し、当該ユーザーが過去の注文処理で設定した補正内容を適用するようにしてもよい。
【００４５】
注文内容の設定が完了すると、プリント注文処理部１２６はプリント代金を計算し表示部１２２に表示する。プリント代金の支払い方法は、現金やクレジットカードによる前払いでもよいし、写真受け取り時の後払い（コンビニでの支払い、代引きなど）でもよい。前払いの場合には入金部１２４により入金処理が実行される（ステップＳ２０５）。このときも、付加的データの「ポイント」をプリント代金の支払いに充てることができる。
【００４６】
次に、付加的データ処理部１２７がプリント代金や支払い方法に応じた付与ポイントを計算し、現在のポイント数に加算する（ステップＳ２０６）。また、プリント代金の支払
いにポイントが利用された場合には、付加的データ処理部１２７は利用ポイントを現在のポイント数から減算する。そして、付加的データ処理部１２７は、付加的データの中の「ポイント数」と「取引最新日」を更新するとともに、今回の注文処理で設定された補正内容を「画像補正ログ」に追加し、データ書込部１２１を介して更新後の付加的データをデジタルカメラ１０３のメモリに書き込む（ステップＳ２０７）。
【００４７】
次に、プリント注文処理部１２６は写真の引換票を印字するとともに、代金後払いの場合には代金の請求書も印字する（ステップＳ２０８）。引換票や請求書はＫＩＯＳＫ端末１０１のプリント排出口１１４から排出される。
【００４８】
その後、プリント注文処理部１２６は、注文内容とともにプリント対象の画像を運営サーバ１４１およびプリントサーバ１４２に送信する（ステップＳ２０９）。また、今回の注文処理の内容と付加的データとを利用ログとして運営サーバ１４１や設置者サーバ１４３に送信する（ステップＳ２１０）。
【００４９】
プリントサーバ１４２の設置されたプリント工場では、注文内容に従って、画像の印画紙プリントが行われる。出来上がった写真は、ユーザー指定の方法（コンビニでの受け取り、自宅への配送など）でユーザーに渡される。
【００５０】
（ＫＩＯＳＫ端末の動作：チャージ処理）
本実施形態のデジタルカメラ１０３では、付加的データにより撮影可能枚数や使用期限が設定されており、これを超えて継続使用することができないようになっている。撮影可能枚数が少なくなったり、使用期限に近づいてくると、デジタルカメラ１０３の表示部１３４に「撮影枚数が上限に達しました。ＫＩＯＳＫ端末にて新たにチャージして下さい。」とか、「使用期限は○月○日です。ＫＩＯＳＫ端末にて新たにチャージして下さい。」といった、チャージ処理を促すメッセージが表示される。ユーザーは、ＫＩＯＳＫ端末１０１を利用して、デジタルカメラ１０３の撮影可能枚数や使用期限などの「カメラの作動に関わる情報」を更新（リフレッシュ）することができる。
【００５１】
図７は、サービスメニュー画面で「デジカメチャージ」が選択された場合に実行されるチャージ処理の流れを示している。
【００５２】
付加的データの読み込み（ステップＳ３００）からサービス提供者ＩＤのチェック（ステップＳ３０１）までの処理は、図５のステップＳ１００〜Ｓ１０１の処理とほぼ同様のため、説明を省略する。
【００５３】
付加的データ処理部１２７は、現在カメラに設定されている撮影可能枚数や使用期限とともに、チャージ内容選択画面を表示部１２２に表示する（ステップＳ３０２）。チャージ内容選択画面では、たとえば、「３０枚／５００円」、「５０枚／７００円」、「１００枚／１０００円」、「７日／８００円」、「１ヶ月／１５００円」、「３ヶ月／２５００円」というように撮影枚数や使用期間がその価格とともに複数種類表示され、ユーザーは所望のチャージ内容を選択することができる。
【００５４】
チャージ内容が選択されたら、付加的データ処理部１２７は、チャージ代金の入金を促すメッセージを出力する。チャージ代金の支払い方法は、現金とクレジットカードから選択可能である。また、付加的データの「ポイント」をチャージ代金の支払いに充てることもできる。入金処理は入金部１２４が実行する（ステップＳ３０３）。
【００５５】
入金が完了すると、付加的データ処理部１２７がチャージ代金や支払い方法に応じた付与ポイントを計算し、現在のポイント数に加算する。また、チャージ代金の支払いにポイ
ントが利用された場合には、付加的データ処理部１２７は利用ポイントを現在のポイント数から減算する。そして、付加的データ処理部１２７は、付加的データの中の「ポイント数」と「取引最新日」を更新する（ステップＳ３０４）。
【００５６】
さらに、付加的データ処理部１２７は、今回購入されたチャージ内容を付加的データに設定する（ステップＳ３０５）。たとえば、撮影枚数が購入された場合、付加的データの「撮影可能枚数」に今回購入された枚数が加算されるとともに、「画像削除不可」の情報が追加される。また、使用期間が購入された場合、付加的データの「使用期限」に今回購入された期間が加算されるとともに、「画像削除可」の情報が追加される。つまり、「使用期限」の場合には、その期間内なら何度でも画像の撮り直し（削除）ができることになる。更新後の付加データは、データ書込部１２１によってデジタルカメラ１０３のメモリに書き込まれる（ステップＳ３０６）。
【００５７】
その後、付加的データ処理部１２７は、今回のチャージ処理の内容と付加的データとを利用ログとして運営サーバ１４１や設置者サーバ１４３に送信する（ステップＳ３０７）。
【００５８】
以上述べた本実施形態によれば、ＫＩＯＳＫ端末１０１（プリントサービス装置）によりデジタルカメラ１０３（撮像装置）のメモリ内容を書き換えることができるので、ＫＩＯＳＫ端末１０１とデジタルカメラ１０３とが連携した新しいプリントサービスを実現できる。
【００５９】
特に本実施形態では、サービス提供者ＩＤ、ポイント数、画像補正ログのような「サービスの利用に関わる情報」を記録するようにしたので、デジタルカメラ１０３とプリントサービスの間に関連付けを持たせたり、顧客に付加価値を提供することができるようになり、ひいては、本プリントサービスの利用機会の拡大、顧客の固定化を図ることができる。
【００６０】
また本実施形態では、撮影可能枚数や使用期限や画像削除の可否などの「カメラの作動に関わる情報」がデジタルカメラ１０３に記録されているので、リサイクル型カメラの回収リスクを小さくすることができる。しかも、ＫＩＯＳＫ端末１０１にてそれらの情報の更新ができるので、サービス提供者がカメラを回収せずとも、顧客自身でいわゆるメモリリフレッシュが行えるようになり、利便性が向上する。
【００６１】
なお、上記実施形態は本発明の一具体例を例示したものにすぎない。本発明の範囲は上記実施形態に限られるものではなく、その技術思想の範囲内で種々の変形が可能である。
【００６２】
たとえば、プリントサービス装置は、ＫＩＯＳＫ端末のような形態ではなく、別体のパソコン、プリンタ、メモリリーダライタなどを組み合わせて構成することもできる。また、撮像装置もコンパクトタイプのデジタルカメラに限られず、一眼レフタイプのデジタルカメラ、デジタルビデオカメラ、携帯電話に搭載されたデジタルカメラなど、撮影画像などの電子データをメモリに記録する方式を採用する種々の撮像装置に好ましく適用することができる。
【００６３】
また、上記実施形態では、ＫＩＯＳＫ端末１０１にプリント処理とプリント注文処理を実装しているが、いずれか一方の処理を実装するだけでもよい。プリント処理、プリント注文処理、チャージ処理の具体的な処理の流れは一例にすぎず、適宜変更しても構わない。
【００６４】
また、付加的データとして広告情報を記録し、撮像装置やプリントサービス装置の表示
部に広告情報を表示するなど、撮像装置そのものを広告媒体として利用することも好ましい。その広告収入を撮像装置代金やプリント代金に還元するようにすれば、安価なプリントサービスを提供することができる。
【００６５】
［撮像装置の具体例］
上述したように、本発明に係るプリントサービス装置では、メモリ内蔵タイプ、メモリ着脱タイプ、メモリ半着脱タイプのいずれの撮像装置（デジタルカメラ）も利用可能である。
【００６６】
とはいえ、メモリ内蔵タイプの場合、メモリの内容を読み書きするために専用のケーブルや装置が必要であったり、（外部出力端子を持たないカメラでは）カメラを分解する必要があり、取り扱いが面倒である。また、コンビニなどに設置されているＫＩＯＳＫ端末を利用できないという不利もある。また、メモリ着脱タイプの撮像装置は、メモリ内蔵タイプに比べてコスト高となるし、ユーザー自身でメモリ交換ができてしまうため、カメラ回収のリスクを考慮すると、リサイクル用途やレンタル用途への展開が難しいという問題がある。
【００６７】
撮像装置とプリントサービス装置のあいだのデータ通信手段としては、他にも、ＵＳＢで接続する方式や、無線ＬＡＮ・赤外線などの無線通信方式が考えられる。しかしながら、ＵＳＢ通信や無線通信の構成追加は、撮像装置のコストアップにつながるため好ましくない。特に無線通信方式では、撮像装置側に通信用の電源を設けなければならないため、コストに加えて消費電力の問題も生じる。コストを抑えるために赤外線通信などの低速な通信方式を採用した場合には、大容量画像の転送に時間がかかり、利便性を損なう結果となる。さらに、ＵＳＢ通信や無線通信などの双方向通信可能なインターフェースをプリントサービス装置に設けた場合、そのインターフェースが悪用され、装置に不正侵入（ハッキング）されるリスクが生じるという問題も出てくる。
【００６８】
従って、本発明に係るプリントサービス装置で利用する撮像装置としては、メモリ内蔵タイプの一体性とメモリ着脱タイプの汎用性とを兼ね備える利便性に優れたメモリ半着脱タイプの撮像装置が好ましい。
【００６９】
そこで以下、メモリ半着脱タイプの撮像装置の具体例を述べる。
【００７０】
（デジタルカメラの外観）
図８に、デジタルカメラ（撮像装置）の外観を示す。なお、本実施形態では、コンパクトタイプのデジタルカメラを例に挙げて説明するが、他にも、一眼レフタイプのデジタルカメラ、デジタルビデオカメラ、携帯電話に搭載されたデジタルカメラなど、撮影画像などの電子データをメモリに記録する方式を採用する種々の撮像装置を好ましく利用可能である。
【００７１】
図８に示すように、デジタルカメラ１は、レンズ１０、フラッシュ１１、シャッター１２、ファインダー１３を備える。また、デジタルカメラ１は、撮影画像などの電子データを記録するためのメモリ２を内蔵している。
【００７２】
メモリ２は、カメラ本体側面に設けられた取り出し口１５から、接続端子２０を外向きにして引き出し可能に構成されている。カメラ本体とメモリ２にはそれぞれロゴ１４，２１が付されており、両者のロゴ１４，２１を見比べることでカメラ本体とメモリ２との整合を確認できるようになっている。なお、カメラ本体側面には取り出し口１５を塞ぐためのラバーカバー１６が取り付けられている。
【００７３】
（デジタルカメラの内部構成）
図９にデジタルカメラ１の内部構成を示す。図９は、図８のＡ−Ａ線における内部透視図である。
【００７４】
カメラ本体の内部には回路プリント基板３０が配され、この回路プリント基板３０には、制御部３１、撮像素子３２、データ入出力部３４が実装されている。また、カメラ本体の背面側に設けられた表示部３３も回路プリント基板３０に接続されている。
【００７５】
制御部３１は、マイコン、ＲＯＭ、フレームメモリなどから構成される回路である。マイコンがＲＯＭに格納されている制御プログラムを読み込んで実行することにより、各ハードウェアの制御、撮影画像に対する画像処理、カメラの撮影モードやパラメータなどの各種設定パラメータの変更、データ入出力などの種々の処理を統括的に実行する。
【００７６】
撮像素子３２はＣＣＤやＣＭＯＳなどで構成されるイメージセンサであり、レンズ１０と光軸合わせして配置されている。データ入出力部３４は、撮影画像や各種設定などの電子データをメモリ２に書き込んだり、電子データをメモリ２から読み出したりする回路である。表示部３３はＬＣＤなどの平面型ディスプレイからなり、撮影画像や各種設定などを表示可能である。
【００７７】
（メモリ取出機構）
メモリ２は、不図示のガイドに沿ってスライド自在に設けられており、図９に示すように、カメラ本体の内部に格納される第１の位置（装着状態）と、接続端子２０の部分がカメラ本体の外部に露出する第２の位置（取出状態）との間を移動することができる。なお、回路プリント基板３０や表示部３３は、メモリ２のスライドと干渉しない位置に配置されている。
【００７８】
メモリ２を第１の位置まで挿入すると、メモリ２の接続端子２０がデータ入出力部３４の接点と電気的に接続する。この装着状態においては、データ入出力部３４によりメモリ２の電子データの読み書きが可能となる。
【００７９】
一方、メモリ２を装着状態から引き出していくと、第２の位置においてメモリ２に設けられたストッパー２２がカメラ本体の被係合部に係合し、それ以上はメモリ２を引き出せなくなる。かかるメモリ取出機構により、メモリ２をカメラ本体に保持したまま、メモリ２の接続端子２０の部分をカメラ本体の外部に露出させることができる。この取出状態においては、カメラ本体との一体性を保ったまま、メモリリーダライタを具備する外部機器（たとえば、パーソナルコンピュータ、ＫＩＯＳＫ端末、デジタルＤＰＥ装置）にメモリ２を挿入できるため、メモリ２に記録されている撮影画像や各種設定などの電子データを外部機器に簡単に転送することができる。
【００８０】
（デジタルカメラの動作）
図１０を参照して、デジタルカメラ１の動作について説明する。図１０は、デジタルカメラ１の機能構成を示すブロック図である。同図において、入力部３５は、シャッター１２、ズームボタン、設定ボタンなどから構成される機能であって、ユーザーからの入力操作を受け付けるものである。また、撮像部３６は、撮像を行う機能であって、レンズ１０および撮像素子３２から構成される。
【００８１】
撮影モード、フラッシュのＯＮ／ＯＦＦ、記録画像の解像度その他の設定を変更する場合、ユーザーは入力部３５を利用して入力操作を行う。入力された設定情報は制御部３１内部のＲＯＭに記録されるか、データ入出力部３４を介してメモリ２に記録される。
【００８２】
撮影を行う場合、撮像部３６で撮影された画像は制御部３１内部のフレームメモリに格納され、表示部３３に表示される。その表示映像を見ながらユーザーが所望のタイミングでシャッター１２を押すと、制御部３１が、必要に応じてフラッシュ１１を発光させ、撮像部３６から撮影画像を取り込み、その撮影画像に対して所定の画像処理を施した後、データ入出力部３４を介して撮影画像をメモリ２に記録する。なお、表示部３３を使わず、ファインダー１３を通してアングルを決定してもよい。
【００８３】
撮影画像の閲覧や整理を行う際は、制御部３１がデータ入出力部３４を介してメモリ２から撮影画像を読み込み、それらを表示部３３に表示する。ユーザーは入力部３５を操作して、表示の切り替えや画像の削除などを行うことができる。
【００８４】
（外部機器との接続）
図１１を参照して、メモリ半着脱タイプのデジタルカメラ１を外部機器と接続する際の使用方法について説明する。ここでは、外部機器としてＫＩＯＳＫ端末を例に挙げる。
【００８５】
図１１に示すように、ＫＩＯＳＫ端末４の前面には、タッチパネルディスプレイ４０、メモリ挿入口４１、金銭・カード挿入口４２、プリント排出口４３が設けられている。ＫＩＯＳＫ端末４は、インターネット４４を介してホストサーバ４５やプリントサーバ４６とデータ通信可能である。
【００８６】
ＫＩＯＳＫ端末４を利用する際は、デジタルカメラ１の取り出し口１５からメモリ２を引き出した後、そのメモリ２をメモリ挿入口４１に差し入れる。このとき、メモリ２はカメラ本体に保持されたままであるが、接続端子２０を外向きにしてカメラ本体から突き出ているため、メモリ挿入口４１への挿入に支障はない。
【００８７】
メモリ２挿入後のＫＩＯＳＫ端末の動作は、上述した通りである。もちろん、上述したサービス以外のサービスを利用するためにこのメモリ２を利用してもよい。
【００８８】
なお、パーソナルコンピュータ（ＰＣ）との接続も上記と同様にして行うことができる。すなわち、デジタルカメラ１のメモリ２を引き出した後、カメラ本体ごとメモリ２をＰＣのメモリリーダライタに装着すれば、メモリ２に記録されている画像をＰＣに読み込むことができる。よって、ＰＣで画像を閲覧したり、プリンタで画像を印字したり、インターネット上の印画紙プリントオーダーサイトを利用して印画紙プリントの注文を行うことができる。
【００８９】
以上述べたメモリ半着脱タイプの構成によれば、メモリ２とデジタルカメラ１との一体性が保たれるので、メモリ２をデジタルカメラ１の専用品として利用することができるようになる。そうすると、たとえばメモリ２に、失われては困るデータ（デジタルカメラ１の制御プログラムや設定情報）、機器使用時からの継続性が要求されるデータ（使用履歴、撮影枚数、交換時期情報など）、漏洩しては困るデータ（ユーザー個人情報やメンテナンス情報やパスワード）、付加価値データ（広告情報、使用に応じたポイント、画像閲覧・編集・プリント用の専用アプリケーション）等々の重要データを記録することもできるようになり、メモリ２の利用効率ばかりでなく、デジタルカメラ自体の利用の幅も広がることが期待される。
【００９０】
また、メモリ２の接続端子２０をカメラ本体の外部に取り出すことができるので、ＫＩＯＳＫ端末４やＰＣなどの外部機器に容易に接続することができ、メモリ着脱タイプのデジタルカメラと同等の汎用性を得ることができる。
【００９１】
また、メモリ着脱タイプの場合は、カメラから抜き出したメモリをＫＩＯＳＫ端末４に
挿入したまま忘れて帰ってしまうという事態が起こり得るが、本実施形態の構成では、メモリ２がデジタルカメラ１から分離しないため、メモリ２の紛失を防止することができるという利点もある。
【００９２】
＜変形例＞
メモリ取出機構の変形例を図１２〜図１４に示す。図１２（ａ）の構成では、メモリ２の一端がカメラ本体に軸支されている。装着状態ではメモリ２がカメラ本体に内蔵されているが、メモリ２を回転させると、メモリ２の接続端子２０がカメラ本体の外部に露出する。図１２（ｂ）の構成では、メモリ２を押し出すスライダ２３が設けられている。このスライダ２３をスライドさせると、メモリ２の接続端子２０をカメラ本体の外部に押し出すことができる。図１２（ｃ）の構成では、データ入出力部６の接点がカメラ本体表面に設けられている。メモリ２の一端はカメラ本体に軸支されており、メモリ２を倒してカメラ本体表面に沿わせると装着状態となり、メモリ２を持ち上げ起立させると取出状態となる。
【００９３】
図１３の構成では、カメラ本体が第１筐体１ａと第２筐体１ｂから構成され、メモリ２は第１筐体１ａ内部のデータ入出力部６に固定的に接続されている。第２筐体１ｂは第１筐体１ａに対してスライド自在に組み付けられ、第１筐体１ａと第２筐体１ｂの間にはバネなどの弾性部材２８が介在している。この弾性部材２８の作用により、通常状態では第２筐体１ｂがメモリ２を覆う位置に配置される。図１３に示すように、外部機器５０のメモリ挿入口５１にカメラを押し付けると、第２筐体１ｂが外部機器５０に突き当たるため、第１筐体１ａと第２筐体１ｂとが圧縮方向にスライドし、メモリ２の接続端子２０がカメラ本体から飛び出し、外部機器５０内のメモリ接続部５２に装着される。使用後、カメラ本体ごと抜き出すと、弾性部材２８の弾性復元力により第２筐体１ｂが元の位置に戻り、メモリ２が覆われる。
【００９４】
図１４の構成では、メモリ２をカメラ本体外部に押し出すバネなどの弾性部材５３と、メモリ２が装着状態にあるときにストッパー２２が引っ掛かる突起５４と、ストッパー２２と突起５４との係合を解除するボタン５５と、が設けられている。メモリ２をカメラ本体内部に押し込むと、ストッパー２２が突起５４と係合し、メモリ２が装着状態で固定される。この状態でボタン５５を押すと、係合が外れ、弾性部材５３の弾性復元力によりメモリ２がカメラ本体外部に押し出される。
【００９５】
カメラ本体とメモリとの電気的接続の変形例を図１５に示す。図１５（ａ）の構成では、メモリ２の両端に接続端子２０，２４が設けられている。メモリ２を装着状態にすると、装着方向先端側の接続端子２４がデータ入出力部３４に突き当たり、電気的接続が確保される。メモリ２を取り出すと、他方（取出方向先端側）の接続端子２０がカメラ本体の外部に露出する。また、図１５（ｂ）の構成では、メモリ２とデータ入出力部３４とがケーブル２５で固定的に接続されている。このケーブル２５により、データ入出力部３４とメモリ２の電気的接続が図られるとともに、カメラ本体とメモリ２の分離が防止される。この構成は、メモリ２を取り出した場合もデータ入出力部３４とメモリ２との電気的接続を保持することができるという利点がある。
【００９６】
図１６の変形例では、メモリ２自体に回動機構２６が設けられている。図９に示した構成では、メモリ２を外部機器４７に装着しているときにカメラ本体に外力が作用すると、メモリ２の基端に応力が集中し、メモリ２の故障や破壊を招くおそれがある。これに対し、図１６に示した構成では、カメラ本体の姿勢に自由度が生まれるため、外力を逃がすことができ、メモリ２の故障などを防止することができるという利点がある。
【００９７】
図１７の変形例では、カメラ本体の取り出し口１５の周囲に凹部２７を設けている。外
部機器４７の構成によっては、メモリ挿入口の脇にメモリ取り出し用ボタン４８が設けられていることがあり、カメラごとメモリ２を差し込むときに邪魔になるケースが想定される。そこで、図１７のように、メモリ取り出し用ボタン４８に対応した凹部２７を設けることで、そのような問題を回避することができる。
【００９８】
なお、上述した変形例を適宜組み合わせた構成も好ましい。
【００９９】
かかる構成は、市販用の撮像装置にも適用することができるが、半着脱式のメモリという特徴を活かし、リサイクル用途、レンタル用途、イベント用途などの特殊用途の撮像装置に特に好ましく適用することができる。
【０１００】
たとえば、ユーザーが撮影したり、画像を外部機器に転送したり、画像をプリントしたりするたびに、その履歴情報をメモリに自動的に記録していくようにしておけば、ユーザーの使用回数に応じた従量課金が可能となる。
【０１０１】
また、撮像装置を販売もしくは貸与する際に撮影上限枚数をメモリにセットしておき、制御部にて上限枚数を超える撮影が不可となるように制御することもできる。この方法を利用すれば、販売もしくは貸与時にユーザーから撮影予定枚数に応じた代金を徴収する、といったプリペイド方式のビジネスも実現可能である。
【０１０２】
また、メモリ内に使用回数に応じたポイントを記録するようにして、代金割引や商品プレゼントなどのポイント還元サービスを行うようにすれば、ユーザーのつなぎとめを図ることもできる。
【０１０３】
また、メモリ内に広告情報を記録したりメモリ本体に広告を付すなど、撮像装置そのものを広告媒体として利用し、その広告収入を撮像装置代金に還元するようにすれば、安価な貸与サービスを提供することができる。
【０１０４】
上述したビジネス手法は、装置本体とメモリの一体性が担保されることにより現実性を帯びる。ユーザーによるメモリ交換が自由となれば、使用履歴やポイントの管理が難しく、広告媒体として機能しないおそれがあるからである。
【０１０５】
また、従来のメモリ内蔵タイプの撮像装置の場合は、メモリの内容を読み書きするのに撮像装置を分解する必要があったり、専用装置を利用する必要があったのに対し、メモリ半着脱タイプの撮像装置の場合は汎用的なメモリリーダライタを具備した端末（ＰＣなど）を利用可能なため、サービス提供者にとっては、システムコストの低減、サービスの自由度の向上などの利益がある。しかも、ユーザーにとっては、ＰＣやＫＩＯＳＫ端末にて撮影画像の閲覧やプリントができるなど、撮影画像の取扱性が向上するという利益がある。
【図面の簡単な説明】
【０１０６】
【図１】ＫＩＯＳＫ端末の外観を示す斜視図。
【図２】ＫＩＯＳＫ端末の機能構成を示すブロック図。
【図３】デジタルカメラの外観を示す斜視図。
【図４】デジタルカメラの機能構成を示すブロック図。
【図５】プリント処理の流れを示すフローチャート。
【図６】プリント注文処理の流れを示すフローチャート。
【図７】チャージ処理の流れを示すフローチャート。
【図８】デジタルカメラの外観を示す斜視図。
【図９】デジタルカメラの内部構成を示す透視図。
【図１０】デジタルカメラの機能構成を示すブロック図。
【図１１】デジタルカメラと外部機器との接続を示す図。
【図１２】メモリ取出機構の変形例を示す図。
【図１３】メモリ取出機構の変形例を示す図。
【図１４】メモリ取出機構の変形例を示す図。
【図１５】カメラ本体とメモリとの電気的接続の変形例を示す図。
【図１６】メモリの回動機構を示す図。
【図１７】メモリの取り出し口の変形例を示す図。
【符号の説明】
【０１０７】
１  デジタルカメラ（撮像装置）
１ａ  第１筐体
１ｂ  第２筐体
１０  レンズ
１１  フラッシュ
１２  シャッター
１３  ファインダー
１４  ロゴ
１５  取り出し口
１６  ラバーカバー
２  メモリ
２０  接続端子
２１  ロゴ
２２  ストッパー
２３  スライダ
２４  接続端子
２５  ケーブル
２６  回動機構
２７  凹部
２８  弾性部材
３０  回路プリント基板
３１  制御部
３２  撮像素子
３３  表示部
３４  データ入出力部
３５  入力部
３６  撮像部
４  ＫＩＯＳＫ端末
４０  ディスプレイ
４１  メモリ挿入口
４２  金銭・カード挿入口
４３  プリント排出口
４４  インターネット
４５  ホストサーバ
４６  プリントサーバ
４７  外部機器
４８  メモリ取り出し用ボタン
５０  外部機器
５１  メモリ挿入口
５２  メモリ接続部
５３  弾性部材
５４  突起
５５  ボタン
１０１  ＫＩＯＳＫ端末
１１０  タッチパネルディスプレイ
１１１  カメラ／メモリ接続部
１１２  金銭挿入口
１１３  クレジットカードリーダ
１１４  プリント排出口
１２０  データ読込部
１２１  データ書込部
１２２  表示部
１２３  入力部
１２４  入金部
１２５  プリント処理部
１２６  プリント注文処理部
１２７  付加的データ処理部
１２８  通信部
１２９  プリンタ
１０３  デジタルカメラ
１３０  メモリ
１３１  入力部
１３２  撮像部
１３３  フラッシュ
１３４  表示部
１３５  データ入出力部
１３６  制御部
１３７  付加的データ領域
１３８  撮影画像領域
１４０  インターネット
１４１  運営サーバ
１４２  プリントサーバ
１４３  設置者サーバ
【図１】
2006186966.tif 000003
【図２】
2006186966.tif 000004
【図３】
2006186966.tif 000005
【図４】
2006186966.tif 000006
【図５】
2006186966.tif 000007
【図６】
2006186966.tif 000008
【図７】
2006186966.tif 000009
【図８】
2006186966.tif 000010
【図９】
2006186966.tif 000011
【図１０】
2006186966.tif 000012
【図１１】
2006186966.tif 000013
【図１２】
2006186966.tif 000014
【図１３】
2006186966.tif 000015
【図１４】
2006186966.tif 000016
【図１５】
2006186966.tif 000017
【図１６】
2006186966.tif 000018
【図１７】
2006186966.tif 000019